(57)【特許請求の範囲】
【請求項１】
被検者の所定の計測部位の脈圧を計測する脈圧計測システムであって、
前記脈圧の計測時に、前記計測部位が凹むように、測定者の指によって前記計測部位に押し付けられる測定装置と、
前記測定装置からの情報に基づいて前記脈圧を計測する脈圧計測装置と、を備え、
前記測定装置は、
前記測定者の指を保持する指保持部と、
前記指保持部に保持された前記測定者の指の力によって前記計測部位に加えられた圧力の情報を出力する圧力センサと、
前記圧力センサの周囲に配置され、前記指保持部に保持された前記測定者の指の力によって前記圧力センサが前記計測部位に押し付けられる際に、前記計測部位の周囲に押し付けられる弾性体と、を備え、
前記脈圧計測装置は、
前記測定装置から取得した圧力の情報に基づいて、前記脈圧として、前記被検者の計測部位の脈波における圧力の最大値、最小値、最大値と最小値との差の少なくともいずれかを計算する処理部と、
前記処理部が計算した脈圧を表示する表示部と、を備え、
前記圧力センサは、前記計測部位に加えられた圧力の大きさに応じた電圧の情報を出力する磁気センサであり、
前記磁気センサは、
磁場を発生させる磁場発生手段と、
前記被検者の計測部位よりも剛性が大きいバネによって前記磁場発生手段と直接的または間接的に接続され、前記磁場発生手段が発生させた磁場を検知して当該磁場の大きさに応じた電圧の情報を出力する磁場検知手段と、を備え、
前記磁場発生手段と前記磁場検知手段は、互いに対向し、前記計測部位の脈圧に応じて前記バネの長さが変化することで互いの距離が変化するように配置されており、
前記脈圧計測装置は、
前記磁気センサが出力する電圧の大きさと、前記計測部位へ加えられている圧力の大きさとの対応関係情報を記憶する記憶部を、さらに備え、
前記処理部は、前記磁気センサから受け取った電圧の情報、および、前記記憶部に記憶された対応関係情報に基づいて、前記計測部位に加えられている圧力の大きさを計算し、当該計算した圧力の大きさに基づいて、前記脈圧として、前記被検者の計測部位の脈波における圧力の最大値、最小値、最大値と最小値との差の少なくともいずれかを計算する
ことを特徴とする脈圧計測システム。
【請求項２】
前記測定装置は、
前記弾性体にかかる圧力を計測する第２の圧力センサを、さらに備えており、
前記脈圧計測装置は、音声発生部を、さらに備えており、
前記脈圧計測装置の処理部は、
計算した前記脈圧の値がそれ以上大きくならないようになるまで、前記音声発生部を用いて、前記測定者に対し、前記測定装置を前記計測部位に押し付ける力を強めることと弱めることの音声ガイダンスをくり返し、
計算した前記脈圧の値が最大と判断した場合に、前記脈圧を前記表示部に表示させるとともに、前記測定装置の第２の圧力センサが計測した圧力を、平均血圧として前記表示部に表示させる
ことを特徴とする請求の範囲第１項に記載の脈圧計測システム。
【請求項３】
前記圧力センサは、複数設けられていることを特徴とする請求の範囲第１項または第２項のいずれか一項に記載の脈圧計測システム。
【請求項４】
前記複数の圧力センサそれぞれの周囲に前記弾性体が配置されていることを特徴とする請求の範囲第３項に記載の脈圧計測システム。
【請求項５】
前記弾性体は、２つ設けられ、
前記弾性体の一方、前記圧力センサ、前記弾性体の他方が、この順で一直線上に配置されていることを特徴とする請求の範囲第１項または第２項のいずれか一項に記載の脈圧計測システム。
【請求項６】
前記指保持部は、略円筒形の指サック形状であることを特徴とする請求の範囲第１項から第５項のいずれか一項に記載の脈圧計測システム。
【発明の詳細な説明】
【技術分野】
【０００１】
本発明は、被検者の脈圧（最高血圧、最低血圧、最高血圧と最低血圧との差）を計測する技術に関する。
【背景技術】
【０００２】
病気（脳疾患等）や事故（交通事故等）による救急の現場では、患者の脳への血流確保が非常に重要である。脳への血流が充分でないと、救命に成功したとしても、患者の脳に深刻な後遺症が残る可能性がある。脳への血流が充分か否かは、主に脈圧の大きさによって判断することができる。【０００３】
救急の現場では、状況により、血圧計による血圧測定を行うことができないことも多い。その場合、一般には、医師や救急救命士などが患者の頚動脈を触診することで、患者の脳への血流が充分か否かを判断する。【０００４】
また、患者の頚動脈の脈波を検出する装置がある（特許文献１参照）。ここで、脈波とは、身体組織における血液の移動によって生じる容積変化を体表面から波形としてとらえたものをいう。
さらに、脈波は腕の橈骨動脈でも計測でき、脈の強さなどを定量的に計測するニーズが高まっている。これは、中国医療では脈診として知られており、全身の健康状態が把握できるとされている。
【先行技術文献】
【特許文献】
【０００５】
【特許文献１】特開平１０−２１１１７２号公報
【発明の概要】
【発明が解決しようとする課題】
【０００６】
しかしながら、患者の頚動脈を触診する方法では、患者の脳への血流が充分か否かの判断の精度が触診する者によって異なり、安定性に欠けるという問題がある。
また、特許文献１の技術では、患者の頚動脈の脈波の有無は検出できるが、脈波があった場合に、患者の脳への血流が充分か否かを判断することについての言及はない。【０００７】
そこで、本発明は、前記事情に鑑みてなされたものであり、患者等の被検者の所定の計測部位の脈圧を安定して計測することを課題とする。
【課題を解決するための手段】
【０００８】
前記課題を解決するために、本発明は、被検者の所定の計測部位の脈圧を計測する脈圧計測システムであって、前記脈圧の計測時に、前記計測部位が凹むように、測定者の指によって前記計測部位に押し付けられる測定装置と、前記測定装置からの情報に基づいて前記脈圧を計測する脈圧計測装置と、を備え、前記測定装置は、前記測定者の指を保持する指保持部と、前記指保持部に保持された前記測定者の指の力によって前記計測部位に加えられた圧力の情報を出力する圧力センサと、前記圧力センサの周囲に配置され、前記指保持部に保持された前記測定者の指の力によって前記圧力センサが前記計測部位に押し付けられる際に、前記計測部位の周囲に押し付けられる弾性体と、を備え、前記脈圧計測装置は、前記測定装置から取得した圧力の情報に基づいて、前記脈圧として、前記被検者の計測部位の脈波における圧力の最大値、最小値、最大値と最小値との差の少なくともいずれかを計算する処理部と、前記処理部が計算した脈圧を表示する表示部と、を備え、前記圧力センサは、前記計測部位に加えられた圧力の大きさに応じた電圧の情報を出力する磁気センサであり、前記磁気センサは、磁場を発生させる磁場発生手段と、前記被検者の計測部位よりも剛性が大きいバネによって前記磁場発生手段と直接的または間接的に接続され、前記磁場発生手段が発生させた磁場を検知して当該磁場の大きさに応じた電圧の情報を出力する磁場検知手段と、を備え、前記磁場発生手段と前記磁場検知手段は、互いに対向し、前記計測部位の脈圧に応じて前記バネの長さが変化することで互いの距離が変化するように配置されており、前記脈圧計測装置は、前記磁気センサが出力する電圧の大きさと、前記計測部位へ加えられている圧力の大きさとの対応関係情報を記憶する記憶部を、さらに備え、前記処理部は、前記磁気センサから受け取った電圧の情報、および、前記記憶部に記憶された対応関係情報に基づいて、前記計測部位に加えられている圧力の大きさを計算し、当該計算した圧力の大きさに基づいて、前記脈圧として、前記被検者の計測部位の脈波における圧力の最大値、最小値、最大値と最小値との差の少なくともいずれかを計算することを特徴とする。
その他の手段については後記する。
【発明の効果】
【０００９】
本発明によれば、患者等の被検者の計測部位の脈圧を安定して計測することができる。
【図面の簡単な説明】
【００１０】
【図１】本実施形態の脈圧計測システムの全体構成図である。
【図２】本実施形態の測定装置の斜視図である。
【図３】本実施形態の測定装置の動作原理の説明図である。
【図４】出力電圧と圧力の関係を示す図である。
【図５】本実施形態の測定装置の模式図であり、（ａ）は血管Ｂの拡張時、（ａ）は血管Ｂの収縮時を表している。
【図６】電圧差と出力電圧との関係を示す図である。
【図７Ａ】（ａ）〜（ｄ）は、最低電圧値ごとの、出力電圧と血圧の関係、および、それらの経時的変化を示す図である。
【図７Ｂ】（ｅ）〜（ｈ）は、最低電圧値ごとの、出力電圧と血圧の関係、および、それらの経時的変化を示す図である。
【図８】本実施形態の脈圧計測装置による処理の流れを示すフローチャートである。
【図９】（ａ）〜（ｃ）は、本実施形態の測定装置の変形例における磁気センサと弾性体を示す模式図である。
【発明を実施するための形態】
【００１１】
以下、本発明を実施するための形態（以下「実施形態」という。）について、適宜図面を参照しながら詳細に説明する。
図１に示すように、本実施形態に係る脈圧計測システム１０００は、被検者の所定の計測部位の脈圧（最高血圧、最低血圧、最高血圧と最低血圧との差）を計測するシステムであり、測定装置１と脈圧計測装置２とを備えて構成される。なお、図１の測定装置１では、図２の測定装置１と比較して、構成の一部の図示を省略している。
【００１２】
ここで、併せて図２も参照しながら、測定装置１の構成について説明する。測定装置１は、受信コイル１１（磁場検知手段）と、発信コイル１２（磁場発生手段）と、圧力センサ１３（第２の圧力センサ）と、バネ１４と、ホルダ１５（指保持部）と、弾性体１６と、脈圧検知部１７と、リード線１１１と、リード線１２１と、を備えて構成される。なお、受信コイル１１と発信コイル１２とを合わせて磁気センサ１９と称する。
【００１３】
磁気センサ１９は、ホルダ１５に保持された測定者（医師等）の指の力によって被検者の計測部位（例えば、首の頚動脈のある部分）に加えられた圧力の情報を出力する圧力センサの一種であり、具体的には、圧力の大きさに応じた電圧の情報を出力する（詳細は後記）。なお、受信コイル１１はホルダ１５の内部空間部分の上面に固着され、発信コイル１２はバネ１４を介してホルダ１５の内部空間部分の下面に取り付けられている。
【００１４】
圧力センサ１３は、ホルダ１５と弾性体１６の間に挟み込まれ、弾性体１６にかかる圧力を計測するセンサであり、例えば、ひずみゲージにより実現できる。
バネ１４は、被検者の計測部位よりも剛性が大きいバネである。
ホルダ１５は、測定者の指を保持する手段である。
【００１５】
弾性体１６は、脈圧検知部１７の周囲に配置され、ホルダ１５に保持された測定者の指の力によって脈圧検知部１７が計測部位に押し付けられる際に、計測部位の周囲に押し付けられる部材であり、例えば、計測部位よりも剛性の大きいゴムにより実現できる。
脈圧検知部１７は、脈圧の計測時に、計測部位が凹むように、ホルダ１５に加えた測定者の指の力によって計測部位に押し付けられる手段であり、発信コイル１２に固着されている。つまり、発信コイル１２と脈圧検知部１７は連動する。
【００１６】
リード線１１１は、一端が受信コイル１１と接続され、他端が脈圧計測装置２の入出力回路２１と接続される。
リード線１２１は、一端が発信コイル１２と接続され、他端が測定装置１の駆動回路（不図示）と接続される。
【００１７】
次に、図３を参照しながら、測定装置１の動作原理について説明する。
磁気センサ１９では、受信コイル１１と発信コイル１２が、お互いに対向するように配置されている。なお、人体Ｈはバネ的性質とダンパ的性質を有するが、バネ的性質のほうが支配的であるので、近似的に、人体Ｈを所定のバネ定数を有するバネであると考える。そして、人体Ｈのバネ定数よりも大きなバネ定数を有するバネ１４を予め選択しておく必要がある。そうしないと、脈圧検知部１７に力Ｆが加えられたときに、受信コイル１１と発信コイル１２が接してしまい、磁気センサ１９としての役割が損なわれるからである。
【００１８】
次に、被検者の脈圧の計測時に、被検者の計測部位が凹むように、測定装置１が測定者の指の力によって計測部位に押し付けられたときの測定装置１の動作について説明する。
まず、交流発振源３１は、特定の周波数（例えば、２０ｋＨｚ）を持つ交流電圧を生成する。その交流電圧はアンプ３２によって特定の周波数を持つ交流電流に変換され、その変換された交流電流が発信コイル１２に流れる。発信コイル１２を流れる交流電流によって発生した磁場は、受信コイル１１に誘導起電力を発生させる。なお、この誘導起電力は、受信コイル１１と発信コイル１２との距離Ｄが小さいほど、大きい。
【００１９】
誘導起電力によって受信コイル１１に発生した交流電流（周波数は交流発振源３１によって生成された交流電圧の周波数と同じ。）は、プリアンプ３３によって増幅され、増幅後の信号が検波回路３４に入力される。検波回路３４では、交流発振源３１によって生成された特定の周波数又は２倍周波数によって、前記した増幅後の信号の検波を行う。そのため、交流発振源３１の出力を、参照信号３５として検波回路３４の参照信号入力端子に導入する。また、検波回路３４を用いずに全波整流回路を用いた動作方式にしてもよい。検波回路３４（または整流回路）からの電圧の情報（出力信号）は、ローパスフィルタ３６を通過した後、脈圧計測装置２の処理部２３（図１参照）に導入される。
【００２０】
なお、脈圧検知部１７（計測部位）に加えられる圧力（力Ｆ）と、ローパスフィルタ３６から処理部２３に導入される出力信号によって表される電圧の大きさとの関係は、図４に示す通りである。このような、磁気センサ１９が出力する電圧の大きさと、脈圧検知部１７に加えられている圧力の大きさとの対応関係情報を、脈圧計測装置２の記憶部２４に予め記憶しておく。なお、図４に示す出力電圧と圧力の関係を、所定の関数、最小二乗法などによって関数化しておけば、出力電圧を圧力に変換する際の精度を高めることができる。
【００２１】
次に、図１に戻って、脈圧計測装置２について説明する。脈圧計測装置２は、測定装置１からの情報に基づいて被検者の計測部位の脈圧を計測するコンピュータ装置であり、入出力回路２１、入力回路２２、処理部２３、記憶部２４、音声発生部２５、表示部２６、電源部２７および入力部２８を備えて構成される。
【００２２】
入出力回路２１は、測定装置１の受信コイル１１から受信した電圧の情報を前記のように処理して処理部２３に伝える。
入力回路２２は、測定装置１の圧力センサ１３から受信した圧力の情報を処理部２３に伝える。
【００２３】
処理部２３は、例えばＣＰＵ(Central Processing Unit)によって実現される。処理部２３は、磁気センサ１９から取得した電圧の情報と、記憶部２４に記憶されている前記した対応関係情報に基づいて、脈圧検知部１７に加えられている圧力を計算し、その圧力の最大値、最小値、最大値と最小値との差の少なくともいずれかを、脈圧（それぞれ、最高血圧、最低血圧、最高血圧と最低血圧との差）として計算する。また、処理部２３は、被検者の計測部位の平均血圧も計算するが、詳細は後記する。
【００２４】
記憶部２４は、各種情報を記憶する手段であり、例えば、ＲＡＭ(Random Access Memory)、ＲＯＭ(Read Only Memory)、ＨＤＤ（Hard Disk Drive）などによって実現される。
【００２５】
音声発生部２５は、音声を発生させる手段であり、例えばスピーカによって実現される。音声発生部２５は、例えば、測定装置１による測定の開始時や終了時にビープ音を発生させたり、測定者に対し、測定装置１を計測部位に押し付ける力を強めることや弱めることの音声ガイダンスを発生させたりする（詳細は後記）。
【００２６】
表示部２６は、各種表示を行う手段であり、例えば、ＬＣＤ(Liquid Crystal Display)やＣＲＴ(Cathode Ray Tube) Displayによって実現される。表示部２６には、脈圧、平均血圧、脈圧を視覚化したインジケータなどが表示される。
電源部２７は、脈圧計測装置２における電源供給手段である。
入力部２８は、各種情報入力のためにユーザによって操作される手段であり、例えば、キーボードやマウス等によって実現される。
【００２７】
次に、脈圧計測時の測定装置１の動作と血管（動脈）の状態について説明する。図５（ａ）に示すように、測定者が指４０によって測定装置１を所定の力で人体Ｈに押し付けた場合に、血管Ｂが拡張するとき、弾性体１６はほぼ不動のまま、脈圧検知部１７が上方に押されて移動し、受信コイル１１と発信コイル１２が接近する。
一方、血管Ｂが収縮するとき、図５（ｂ）に示すように、弾性体１６はほぼ不動のまま、脈圧検知部１７が下方に移動し、受信コイル１１と発信コイル１２が遠ざかる。
【００２８】
血管Ｂの周辺を弾性体１６で平均血圧に近い力で押さえることで、血管Ｂの近くの皮膚が上下運動をくり返し、その時間帯の磁気センサ１９の電圧を計測することで、被検者の脈圧や平均血圧を測定することができると考えられる（詳細は後記）。
【００２９】
次に、脈圧検知部１７に加えられる力の強さと、脈圧測定の精度の関係について説明する。なお、測定者が測定装置１を強く押すほど、脈圧検知部１７に加えられる力は大きくなって、受信コイル１１と発信コイル１２の距離は近くなり、受信コイル１１からの出力電圧は強くなる。また、測定装置１において脈圧検知部１７が大きく動くほど、受信コイル１１と発信コイル１２の距離が大きく変動し、受信コイル１１からの出力電圧の差が大きくなる。
【００３０】
図６に示すように、最低の出力電圧が１．４Ｖのとき、電圧差は比較的小さい（図７Ａ(ａ)参照）。なお、図６における各ドットを縦に貫く「Ｉ」の長さは標準偏差を示す。最低の出力電圧が１．２Ｖのとき、電圧差は一番大きい（図７Ａ(ｂ)参照）。最低の出力電圧が１．１Ｖ、１Ｖ、０．９Ｖ、０．８Ｖ、０．７Ｖと下がるにつれ、電圧差も小さくなり（図７Ａ(ｃ)、（ｄ）、図７Ｂ（ｅ）、（ｆ）、（ｇ）参照）、最低の出力電圧が０．６Ｖになると、電圧差がゼロになる（図７Ｂ（ｈ）参照）。
【００３１】
これらから、適度な強さ（最低の出力電圧が１Ｖ〜１．２Ｖになる強さ）で測定装置１を押すことで脈圧測定の精度を高めることができると考えられる。また、原理的には、平均血圧程度の力で測定装置１を押すことで、血管Ｂが一番大きく上下に波打つと考えられる。
【００３２】
次に、図８のフローチャートを参照して（適宜他図参照）、脈圧計測装置２の処理について説明する。
ステップＳ１において、処理部２３は、計測を開始したか否かを判断し、Ｙｅｓの場合はステップＳ２に進み、Ｎｏの場合はステップＳ１に戻る。この計測を開始したか否かの判断について、具体的には、例えば、脈圧計測装置２の入力部２８においてユーザによる所定の操作があったときに計測開始と判断してもよいし、あるいは、受信コイル１１からの出力電圧が所定値を超えたときに計測開始と判断してもよいし、さらに、その他の方法によって判断してもよい。
【００３３】
ステップＳ２において、処理部２３は、測定装置１を押す力の強さが、強いか、適切か、弱いかを判断する。このステップＳ２での判断は、例えば、所定の閾値に基づいて判断すればよい。なお、測定装置１を押す力の強さが「適切」であるためには、少なくとも、脈圧検知部１７に加えられる圧力が図４の範囲Ｗに収まっている必要がある。
【００３４】
あるいは、ステップＳ２以降の処理について、次のようにしてもよい。処理部２３は、まず、脈圧を計測しながら、計測した脈圧の値がそれ以上大きくならないようになるまで、音声発生部２５を用いて、測定者に対し、押す力が弱い場合（ステップＳ２→「弱い」）の強めることを促す音声ガイダンス（ステップＳ３）と、押す力が強い場合（ステップＳ２→「強い」）の弱めることを促す音声ガイダンス（ステップＳ４）と、を何度かくり返す。そして、計測した脈圧の値が最大と判断した場合にステップＳ２で「適切」と判断し、ステップＳ５に進めばよい。
【００３５】
ステップＳ５において、処理部２３は、前記したように圧力センサ１３から取得した圧力の情報に基づいて平均血圧を計算し、ステップＳ６に進む。具体的には、例えば、圧力センサ１３から取得した圧力の値をそのまま平均血圧としてもよいし、あるいは、さらに所定の補正処理をすることで平均血圧を計算してもよい。
【００３６】
ステップＳ６において、処理部２３は、磁気センサ１９から取得した電圧の情報と、記憶部２４に記憶されている前記した対応関係情報に基づいて、脈圧検知部１７に加えられている圧力を計算し、その圧力の最大値、最小値、最大値と最小値との差の少なくともいずれかを、脈圧として計算し（ステップＳ２ですでに計算しているときは省略）、ステップＳ７に進む。
【００３７】
ステップＳ７において、処理部２３は、平均血圧と脈圧を表示部２６に表示し、処理を終了する。
【００３８】
このように、本実施形態の脈圧計測システム１０００によれば、測定者の指を保持するホルダ１５と、被検者の計測部位に押し付けられた圧力と相関のある電圧の情報を出力する磁気センサ１９と、磁気センサ１９の周囲に配置され磁気センサ１９が被検者の計測部位に押し付けられる際にその計測部位の周囲に押し付けられる弾性体１６と、を備える測定装置１を用いることによって、磁気センサ１９が効率的に被検者の計測部位の脈波の変動をとらえることができ、脈圧を安定して計測することができる。
【００３９】
また、測定装置１をこのような構成としたことで、片手で取り扱えるほどの測定装置１の小型化や、測定装置１への指の装着、着脱の容易化を実現することができ、救急車内など、狭い場所でも被検者の計測部位の脈圧を容易に計測することができる。また、測定装置１は、ホルダ１５で指を保持し、その指で測定装置１に加力するように構成したことで、測定者が脈波を指で感じることができ、高い操作性を実現できる。
【００４０】
また、脈圧検知部１７の周囲に弾性体１６を配置したことで、血管Ｂを適度に押さえ付け、脈圧検知部１７に当接する計測部位の脈波の動きを大きくさせ、脈圧を高精度で測定することができる。
【００４１】
なお、脈圧計測の方法として、例えば、体表面の変位を空気圧に変換する方法も考えられるが、血管壁、脂肪、皮膚等の組織特性の個人差や、他の音波等のノイズ等のため、高い精度を期待できない。一方、本実施形態では、体表面に生じる圧そのものをバネ１４によって変位に変換し、その変位を磁気的に計測しているため、前記した組織特性の個人差やノイズの問題もほとんどなく、高い計測精度を期待できる。
【００４２】
（変形例）
次に、図９を参照して、測定装置１の変形例について説明する。なお、図９では弾性体１６と磁気センサ１９の個数や相対的位置のみ示している。
【００４３】
図９（ａ）に示すように、測定装置１ａ，１では、磁気センサ１９が３つ設けられ、それらを囲むように弾性体１６が配置されている。このように、磁気センサ１９を複数にすることで、３つの磁気センサ１９からの電圧の平均を使用する、あるいは、３つの磁気センサ１９のうちもっとも電圧値の高い電圧の情報だけを使用するなど、より高精度な脈圧計測を行うことができる。
【００４４】
次に、図９（ｂ）に示すように、測定装置１ｂ，１では、磁気センサ１９が３つ設けられ、それぞれの磁気センサ１９を囲むように弾性体１６がそれぞれ配置されている。このように、磁気センサ１９を複数にし、さらに、弾性体１６も複数にすることで、被検者の計測部位におけるそれぞれの磁気センサ１９の周囲をしっかり押さえ付けることができ、より高精度な脈圧計測を行うことができる。
【００４５】
次に、図９（ｃ）に示すように、測定装置１ｃ，１では、弾性体１６は２つ設けられ、弾性体１６の一方、磁気センサ１９、弾性体１６の他方が、この順で一直線上に配置されている。このように配置することで、例えば、手首の橈骨動脈のように近傍に腱等があって細長いエリアでしか押圧できない部位で脈圧を計測する場合であっても、脈圧計測を行うことができる。
【００４６】
以上で本実施形態の説明を終えるが、本発明の態様はこれらに限定されるものではない。
例えば、ホルダ１５は、一部が開口した形状でなくてもよく、例えば、略円筒形の指サック形状であってもよい。そうすれば、指が測定装置１から離れる可能性がより低減し、脈圧の計測がより安定する。
【００４７】
また、測定装置１から脈圧計測装置２へのデータ送信時や、脈圧計測装置２から外部装置（不図示）へのデータ送信時には、データの暗号化を行ってもよい。
なお、弾性体１６を円形にする場合、頚動脈測定用であれば外径の直径を１０ｍｍ以下、手首の橈骨動脈測定用であれば外径の直径を３ｍｍ以下にし、磁気センサ１９等のサイズをそれらに合わせるのが望ましい。
【００４８】
また、圧力センサ１３を使用せず、平均血圧を計算しないで、脈圧のみを計算するようにしてもよい。
その他、具体的な構成や処理について、本発明の主旨を逸脱しない範囲で適宜変更が可能である。
【符号の説明】
【００４９】
１，１ａ，１ｂ，１ｃ  測定装置
２      脈圧計測装置
１１    受信コイル（磁場検知手段）
１２    発信コイル（磁場発生手段）
１３    圧力センサ（第２の圧力センサ）
１４    バネ
１５    ホルダ（指保持部）
１６    弾性体
１７    脈圧検知部
１９    磁気センサ（圧力センサ）
２１    入出力回路
２２    入力回路
２３    処理部
２４    記憶部
２５    音声発生部
２６    表示部
２７    電源部
２８    入力部
３１    交流発振源
３２    アンプ
３３    プリアンプ
３４    検波回路
３５    参照信号
３６    ローパスフィルタ
４０    指
１１１  リード線
１２１  リード線
１０００  脈圧計測システム
Ｂ      血管
Ｈ      人体
【図１】
0005847202.tif 000002
【図２】
0005847202.tif 000003
【図３】
0005847202.tif 000004
【図４】
0005847202.tif 000005
【図５】
0005847202.tif 000006
【図６】
0005847202.tif 000007
【図７Ａ】
0005847202.tif 000008
【図７Ｂ】
0005847202.tif 000009
【図８】
0005847202.tif 000010
【図９】
0005847202.tif 000011